(57)【特許請求の範囲】
【請求項１】
命令を含むプログラムであって、該命令は、実行されると、システムに、
電子ディスプレイのためのマルチメディアストリーム内のデジタルオンスクリーングラフィックを識別させ、
前記デジタルオンスクリーングラフィックの形状に基づき増強オーバレイの形状を決定させ、又は前記デジタルオンスクリーングラフィックのサイズに基づき増強オーバレイを拡大縮小させ、
前記デジタルオンスクリーングラフィックを少なくとも部分的に囲むよう、前記電子ディスプレイに前記増強オーバレイを提示させる、
プログラム。
【請求項２】
実行されると、システムに、
前記増強オーバレイの１又は複数のセグメントを決定させ、前記セグメントは、娯楽関連メニューアイテムに対応する、
命令を有する請求項１に記載のプログラム。
【請求項３】
実行されると、システムに、
前記増強オーバレイの選択されたセグメントを決定させ、
前記選択されたセグメントに基づき前記電子ディスプレイに二次オブジェクトを提示させる、
命令を有する請求項１に記載のプログラム。
【請求項４】
実行されると、システムに、
パターン認識を用いて、前記デジタルオンスクリーングラフィックを探させる、
命令を有する請求項１に記載のプログラム。
【請求項５】
実行されると、システムに、
前記マルチメディアストリームから複数のフレームのセットを決定させ、
積分演算を用いて、前記フレームのセットを用いて前記デジタルオンスクリーングラフィックを決定させる、
命令を有する請求項１に記載のプログラム。
【請求項６】
実行されると、システムに、
前記マルチメディアストリームの複数のフレーム内の静止画像を、デジタルオンスクリーングラフィックのライブラリと比較させ、
前記静止画像が前記ライブラリからのデジタルオンスクリーングラフィックと一致すると決定させる、
命令を有する請求項１に記載のプログラム。
【請求項７】
実行されると、システムに、
前記マルチメディアストリームの複数の順次フレームの下半分にある繰り返し画像を決定させ、
前記繰り返し画像がオンスクリーングラフィックであると決定させる、
命令を有する請求項１に記載のプログラム。
【請求項８】
実行されると、システムに、
前記デジタルオンスクリーングラフィックの形状を決定させ、
前記形状は長方形、円形、三角形又は多角形を有する、
命令を有する請求項１に記載のプログラム。
【請求項９】
実行されると、システムに、
前記増強オーバレイが１又は複数の前記デジタルオンスクリーングラフィック及び１又は複数の前記マルチメディアストリームと調和するように、前記増強オーバレイの色を決定させる、
命令を有する請求項１に記載のプログラム。
【請求項１０】
実行されると、システムに、
前記デジタルオンスクリーングラフィックに基づき前記増強オーバレイの次元を決定させ、
前記次元は１次元、２次元又は３次元を有する、
命令を有する請求項１に記載のプログラム。
【請求項１１】
実行されると、システムに、
１又は複数のユーザの嗜好及び前記マルチメディアストリームの現在のコンテンツに基づき、前記増強オーバレイの１又は複数のセグメントを決定させる、
命令を有する請求項１に記載のプログラム。
【請求項１２】
実行されると、システムに、
入来するメッセージ、録画されるべき番組、関連するコンテンツ、ショッピングの機会、又は強化されたコンテンツに基づき、警告を生成させる、
命令を有する請求項１に記載のプログラム。
【請求項１３】
実行されると、システムに、
娯楽関連イベントに基づき、前記増強オーバレイの色を変化させる、
命令を有する請求項１に記載のプログラム。
【請求項１４】
実行されると、システムに、
娯楽関連イベントに基づき、前記電子ディスプレイ上の前記増強オーバレイに所定レートで閃光を発せさせる、
命令を有する請求項１に記載のプログラム。
【請求項１５】
電子ディスプレイに接続されたシステムが、
前記電子ディスプレイのためのマルチメディアストリーム内のデジタルオンスクリーングラフィックを識別するステップ、
前記デジタルオンスクリーングラフィックの形状に基づき増強オーバレイの形状を決定し、又は前記デジタルオンスクリーングラフィックのサイズに基づき増強オーバレイを拡大縮小するステップ、
前記増強オーバレイの１又は複数のセグメントを決定するステップであって、セグメントは娯楽カテゴリに対応する、ステップ、
前記デジタルオンスクリーングラフィックを少なくとも部分的に強化するよう、前記電子ディスプレイに前記のセグメント化された増強オーバレイを提示するステップ、
を有する方法。
【請求項１６】
前記システムが、
前記増強オーバレイの前記１又は複数のセグメントのうちのユーザにより選択されたセグメントを決定するステップ、
前記選択されたセグメントに基づき、二次オブジェクトを提示するステップ、
を有する請求項１５に記載の方法。
【請求項１７】
前記システムが、
前記１又は複数のセグメントに対応する１又は複数のメニューアイテムを決定するステップであって、前記メニューアイテムは、お気に入り、共有、ショップ、関連、チャット又は録画を有する、ステップ、
を有する請求項１５に記載の方法。
【請求項１８】
前記システムが、
パターン認識を用いて、前記デジタルオンスクリーングラフィックを探すステップ、
を有する請求項１５に記載の方法。
【請求項１９】
前記システムが、
前記マルチメディアストリームから複数のフレームのセットを決定するステップ、
算術演算を用いて、前記フレームのセットを用いて前記デジタルオンスクリーングラフィックを決定するステップ、
を有する請求項１５に記載の方法。
【請求項２０】
前記システムが、
前記マルチメディアストリームの複数のフレーム内の静止画像を、デジタルオンスクリーングラフィックのライブラリと比較するステップ、
前記静止画像が前記ライブラリからのデジタルオンスクリーングラフィックと一致すると決定するステップ、
を有する請求項１５に記載の方法。
【請求項２１】
前記システムが、
前記マルチメディアストリームの複数の順次フレームの下半分にある繰り返し画像を決定するステップ、
前記繰り返し画像がオンスクリーングラフィックであると決定するステップ、
を有する請求項１５に記載の方法。
【請求項２２】
前記システムが、
前記デジタルオンスクリーングラフィックの形状を決定するステップであって、前記形状は長方形、円形、三角形又は多角形を有する、ステップ、
を有する請求項１５に記載の方法。
【請求項２３】
前記システムが、
前記増強オーバレイが１又は複数の前記デジタルオンスクリーングラフィック及び１又は複数の前記マルチメディアストリームと調和するように、前記増強オーバレイの色を決定するステップ、
を有する請求項１５に記載の方法。
【請求項２４】
前記システムが、
１又は複数のユーザの嗜好及び前記マルチメディアストリームの現在のコンテンツに基づき、前記増強オーバレイの１又は複数のセグメントを決定するステップ、
を有する請求項１５に記載の方法。
【請求項２５】
前記システムが、
娯楽関連イベントに基づき、前記増強オーバレイの前記１又は複数のセグメントのうちの少なくとも１つをハイライトするステップ、
を有する請求項１５に記載の方法。
【請求項２６】
前記システムが、
娯楽関連イベントに基づき、前記増強オーバレイの前記１又は複数のセグメントのうちの少なくとも１つの色を変えるステップ、
を有する請求項１５に記載の方法。
【請求項２７】
処理コンポーネント、
マルチメディアストリームをナビゲートするよう前記処理コンポーネントで動作する視覚的に増強されたデジタルオンスクリーングラフィックコンポーネント、
を有し、
前記視覚的に増強されたデジタルオンスクリーングラフィックコンポーネントは、
前記マルチメディアストリーム内のデジタルオンスクリーングラフィックを識別するよう動作するデジタルオンスクリーングラフィック認識コンポーネント、
前記デジタルオンスクリーングラフィックの形状に基づき増強オーバレイの形状を決定し、又は前記デジタルオンスクリーングラフィックのサイズに基づき増強オーバレイを拡大縮小するよう動作する増強オーバレイ決定コンポーネント、
前記増強オーバレイの１又は複数のセグメントを決定するよう動作するメニューセグメント化コンポーネントであって、セグメントは二次オブジェクトが提示されるようトリガする、メニューセグメント化コンポーネント、
を有する、装置。
【請求項２８】
前記視覚的に増強されたデジタルオンスクリーングラフィックコンポーネントは、
前記増強オーバレイの少なくとも一部の色を変えるよう動作する視覚的に増強されたデジタルオンスクリーングラフィック実施コンポーネント、
を有する、請求項２７に記載の装置。
【請求項２９】
前記視覚的に増強されたデジタルオンスクリーングラフィックコンポーネントは、前記デジタルオンスクリーングラフィックを少なくとも部分的に囲むように前記増強オーバレイを提示するよう動作する、請求項２７に記載の装置。
【請求項３０】
メディア処理装置にあるデジタルディスプレイ、
を有する請求項２７に記載の装置。
【発明の詳細な説明】
【背景技術】
【０００１】
現在の娯楽システムは、テレビ番組、インターネット及び個人向け媒体に３つの別個のインタフェースでアクセスすることをユーザに要求する。さらに、これらのシステムの各々で用いられるメニューは、通常煩わしい。例えば、ユーザがテレビ又はコンピュータディスプレイで閲覧するとき、メニューは、通常、ディスプレイ全体を覆い、マルチメディアストリームを遮ってしまう。さらに、メニューは、ある種の娯楽を参照する。例えば、ユーザは、テレビの番組に関するメニューにアクセスできるが、彼の電子メールやウェブサイトにアクセスするにはコンピュータを使用しなければならない。その結果、ユーザは、１つの形式の娯楽に関する情報を得るために種々のメニューにアクセスしなければならない。種々の形式の娯楽への統一されたアプローチが存在しないので、ユーザは、異なる機能を実行するために別個に思い出さなければならない。例えば、ユーザは、テレビ番組を録画するためにＤＶＲメニューに行き、彼又は彼女のカレンダにアクセスするために異なるアプリケーションに行かなければならない。
【０００２】
現在、テレビ番組は、通常、視覚デジタルオンスクリーングラフィック又はバグを含む。デジタルオンスクリーングラフィックは、通常、テレビ番組中にディスプレイに存在する小さく、半透明で、静止したシンボルである。現在、デジタルオンスクリーングラフィックは、単に番組を提供しているネットワークを示す。デジタルオンスクリーングラフィックは、ユーザに追加の娯楽情報を提供しない。
【０００３】
したがって、上述の及び他の問題を解決する改良技術が必要であり得る。
【図面の簡単な説明】
【０００４】
【図１】メディア処理システムの一実施形態を示す。
【図２】メディア処理コンポーネントの一実施形態を示す。
【図３】視覚的に増強されたデジタルオンスクリーングラフィックコンポーネントの一実施形態を示す。
【図４】デジタルオンスクリーングラフィック認識コンポーネントの一実施形態を示す。
【図５】増強オーバレイ決定コンポーネントの一実施形態を示す。
【図６】メニューセグメント化コンポーネントの一実施形態を示す。
【図７】視覚的に増強されたデジタルオンスクリーングラフィックコンポーネントの一実施形態を示す。
【図８】視覚的に増強されたデジタルオンスクリーングラフィックの一実施形態を示す。
【図９】視覚的に増強されたデジタルオンスクリーングラフィックを有するマルチメディアストリームの一実施形態を示す。
【図１０】ロジックフローの一実施形態を示す。
【図１１】コンピュータアーキテクチャの一実施形態を示す。
【図１２】通信アーキテクチャの一実施形態を示す。
【発明を実施するための形態】
【０００５】
消費者電子機器、処理システム及び通信システムは、収束しつつある。例えば、デジタルテレビ及びマルチメディアセンタのような消費者電子機器は、通常モバイル装置に見られるコンピュータ及び通信機能に基礎を置く処理機能を含むよう進化している。このように、異種の消費者電子機器は、多くの場合に「デジタルホームシステム」と称される単一の統合システムへと進化し続けている。
【０００６】
デジタルホームシステムは、種々の実施形態においてユーザがテレビの閲覧、インターネットアクセス及びホームメディア管理の間をシームレスに移動できる強力な娯楽環境を提供するよう構成され得る。幾つかの実施形態では、単一の柔軟且つ動的インタフェースが、ユーザの観たいテレビ番組を見付け、ユーザがウェブから検索した情報を取得し、又は個人的なオーディオファイル、写真、動画を楽しむことをユーザができるようにする。システムは、高度なテレビ閲覧を実現し、家族や友人との連携交流を可能にし、金融取引を安全に実行できる。デジタルホームシステムは、おなじみの設計感覚と従来のテレビの使い勝手をそのままに、これらの機能を提供できる。
【０００７】
種々の実施形態では、デジタルホームシステムは、テレビ番組、インターネット、個人用メディアへのアクセスが３つの別個のインタフェースの動作を必要とする現在の娯楽システムと関連付けられた共通の欠点を解決できる。例えば、デジタルホームシステムの統一インタフェースは、容易に理解できる基礎的組織体系に結び付けられた物理的及びグラフィカルな要素を組み込むことができ、家庭内娯楽経験をより面白く、強力に、魅力的に且つ効率的にする。統一インタフェースは、３つの統合パラダイム、例えばテレビ、インターネット及びコンピュータのパラダイム、の最も良い態様を結合しても良い。例えば、アニメーション、情報の豊富なディスプレイ、並びに従来のテレビ及びテレビメニューからのビデオ及びオーディオの頭出しのような要素は、統一インタフェースに組み込むことができる。同様に、従来のインターネット経験からの異なる形式のコンテンツ及び通信メカニズムのシームレスな統合は、ある形式のコンテンツから他の形式のコンテンツへのリンク付けを可能にし、メッセージ及びビデオ会議のようなツールを提供し、これらも組み込むことができる。また、コンピュータから、複雑な情報空間の効率的なナビゲーションを可能にするポイントアンドクリックメカニズムも、種々の実施形態ではデジタルホームシステムの統一インタフェースの一部であってもよい。
【０００８】
デジタルホームシステムは、幾つかの実施形態では、テレビディスプレイのような視覚ディスプレイをナビゲーション装置として用いても良い。ディスプレイを任意の数の遠隔制御装置と組み合わせて用いることで、ユーザは、充実した変形した方法で複雑なタスクを実行できる。デジタルホームシステムは、オンスクリーン番組案内のようなおなじみのメカニズム、自然な動作やジェスチャ、及びユーザとユーザに利用可能な選択肢を理解するコンテキスト感受性を介したナビゲーションを実現する革新的技術を含んでも良い。これらは、全て結合されて、ユーザに複数の装置をシームレスな統合された方法で利用する権限を持たせるので、デジタルホームシステム経験を直感的且つ効率的にする。
【０００９】
従来のテレビを観、メディアを詳細に調べ、ウェブを閲覧するホームユーザのために、デジタルホームシステムは、統一家庭向け娯楽経験を提供するよう構成され、ユーザが（ソファのような）従来の閲覧位置から統一インタフェースを用いて、テレビ、メディア及びインターネットの提供物を通じて自由にナビゲートすることを可能にする。幾つかの実施形態では、統一インタフェースは、装置及びサービスの多様な配列により提供される情報を、既存のテレビ又は他のディスプレイに、機能的にシームレスに且つ容易に理解できるように統合する。
【００１０】
デジタルホームシステムは、種々の実施形態では、ディスプレイスクリーンをコンテンツの提示のためのみならずナビゲーションに使うことを可能にする複数軸の統合オンスクリーンナビゲーションを有しても良い。幾つかの実施形態では、デジタルホームシステムは、コンテキスト感応機能及び基礎的コンテンツと知的に統合されたオーバレイを提供するよう動作し閲覧環境に適応するユーザインタフェースエンジンを有しても良い。種々の実施形態では、一群の遠隔制御装置及び他の入力／出力装置も、デジタルホームシステムに統合され、直感的ユーザ相互作用、使い易さ及びシステムの全体的な品質を更に向上させても良い。実施形態は、この文脈に限定されない。
【００１１】
種々の実施形態は、ジタルオンスクリーングラフィックを視覚的に増強する技術を対象としている。一実施形態では、デジタルオンスクリーングラフィックは、マルチメディアストリーム内で識別可能である。増強オーバレイは、デジタルオンスクリーングラフィックに基づき決定できる。増強オーバレイは、デジタルオンスクリーングラフィックを少なくとも部分的に増強するために提示されても良い。このように、ユーザは、種々の形式の娯楽に容易にアクセスでき、マルチメディアストリームを閲覧している間、種々の娯楽関連イベントを想起させられたままである。娯楽関連イベントは、メディア関連イベントを含んでも良い。娯楽関連イベントは、特に、放送の予定されたテレビ番組、ＤＶＲで録画されるべき映画、新しい電子メール、及び／又はウェブサイトの更新のようなイベントを含み得る。
【００１２】
一実施形態では、ユーザは、デジタルホームシステムのディスプレイでマルチメディアストリームを観ていても良い。マルチメディアストリームは、ユーザのディスプレイに現在表示されている娯楽種類であっても良い。一実施形態では、マルチメディアストリームは、放送局を介した映画又はテレビ番組であっても良い。一実施形態では、マルチメディアストリームは、１又は複数のビデオフレームを有しても良い。一実施形態では、マルチメディアストリームは、ライブ供給（live  feed）を有しても良い。
【００１３】
マルチメディアストリームに埋め込まれるものは、デジタルオンスクリーングラフィック又はバグであっても良い。デジタルオンスクリーングラフィックは、視聴者に番組を提供しているネットワークを示す半透明アイコンであっても良い。
【００１４】
一実施形態では、ユーザは、彼／彼女がディスプレイで他の娯楽選択肢を観たいと決定しても良い。一実施形態では、娯楽選択肢は、ディスプレイに自動的に提示されても良い。デジタルオンスクリーングラフィックは、視覚的に増強され、ユーザに種々の娯楽選択肢に関する情報を提供しても良い。増強オーバレイは、デジタルオンスクリーングラフィックに基づき決定できる。増強オーバレイは、増強オーバレイがマルチメディアストリームに対して目立たないように決定されても良い。
【００１５】
一実施形態では、増強オーバレイは、セグメントに分割されても良い。セグメントは、メニューアクセスポイントを提供しても良い。一実施形態では、セグメントは、娯楽メニュー内のメニューアイテム又はカテゴリに対応しても良い。セグメントは、二次オブジェクトをトリガするためにユーザにより選択されても良い。二次オブジェクトは、プログラム、アプリケーション又は機能であっても良い。一実施形態では、二次オブジェクトは、セグメントから直接アクセスされても良い。例えば、選択されたセグメントは、電子メールのような特定のアプリケーションをディスプレイに提示されるようトリガしても良い。さらに、セグメントは、来るべき娯楽関連イベントをユーザに警告しても良い。一実施形態では、増強オーバレイは、娯楽関連イベントに基づき定められたレートで点滅しても良い。例えば、セグメントは、彼／彼女が録画したいかも知れない可能性のあるテレビ番組をユーザに警告するために点滅しても良い。
【００１６】
一実施形態では、セグメント化増強オーバレイは、ディスプレイに提示されても良い。セグメント化増強オーバレイは、デジタルオンスクリーングラフィックを少なくとも部分的に取り囲んでも良い。セグメント化増強オーバレイは、ユーザが種々の形式の娯楽に容易にアクセスできるようにしても良い。その結果、実施形態は、オペレータ、装置又はネットワークの値頃感、拡張性、モジュール性、増量性又は相互接続性を向上できる。
【００１７】
以下、図面を参照する。図中、同様の参照符号が同様の要素を表すために用いられる。以下の説明では、説明を目的として、本発明の実施形態の完全な理解を提供するために、多くの詳細事項が説明される。しかしながら、新規な実施形態はこれらの特定の詳細事項なしに実施できることが明らかである。他の例では、良く知られた構造及び装置が、本発明を説明するために、ブロック図で示される。全ての変更物、等価物及び代替物は、請求される主題の精神及び範囲内に包含されることが意図される。
【００１８】
図１は、メディア処理システム１００のブロック図を示す。メディア処理システム１００は、通常、出力装置にメディアコンテンツを提示するために必要な関連する制御シグナリングに従って、メディアコンテンツのメディア処理動作を実行するようにされる。一実施形態では、メディア処理システム１００は、特に、異種メディアソースからのメディアコンテンツを、例えばデジタルホームシステムのような家庭環境にいる視聴者に提供するよう構成される。しかしながら、メディア処理システム１００は、メディアコンテンツの提示及び表示を含む任意の使用シナリオに適する。図１のメディア処理システム１００は、限られた数の要素を特定のトポロジで有するが、所与の実施の必要に応じてメディア処理システム１００はより多くの又は少ない要素を別のトポロジで有しても良いことが理解される。実施形態は、この文脈に限定されない。
【００１９】
種々の実施形態では、メディア処理システム１００の種々の要素は、１又は複数のプロトコルに従って情報を通信し、管理し、又は処理しても良い。プロトコルは、ノード間の通信を管理する所定のルール又は命令のセットを有しても良い。プロトコルは、ＩＴＵ（International  Telecommunications  Union）、ＩＳＯ（International  Organization  for  Standardization）、ＩＥＣ（International  Electro  technical  Commission）、ＩＥＥＥ（Institute  of  Electrical  and  Electronics  Engineers）、ＩＥＴＦ（Internet  Engineering  Task  Force）、ＭＰＥＧ（Motion  Picture  Experts  Group）等のような標準化組織により公布された１又は複数の標準により定められても良い。例えば、記載される実施形態は、ＮＴＳＣ（National  Television  Systems  Committee）標準、ＡＴＳＣ（Advanced  Television  Systems  Committee）標準、ＰＡＬ（Phase  Alteration  by  Line）標準、MPEG-１標準、MPEG-２標準、MPEG-４標準、Open  Cable標準、ＳＭＰＴＥ（Society  of  Motion  Picture  and  Television  Engineers）VC-１（Video-Codec）標準、ITU/IEC  H.２６３及びH.２６４標準などのようなメディア処理のための標準に従って動作するよう構成されても良い。他の例は、DVB-T（Digital  Video  Broadcasting  Terrestrial）放送標準、DVB-S（DVBSatellite）放送標準、DVB-C（DVB  Cable）放送標準等のような種々のＤＶＢ（Digital  Video  Broadcasting）標準を含んでも良い。DVB（Digital  Video  Broadcasting）は、デジタルテレビのための一連の国際的に受け入れられているオープンな標準である。ＤＶＢ標準は、国際的企業連合であるDVB  Projectにより保守され、ＥＴＳＩ（European  Telecommunications  Standards  Institute）、ＣＥＮＥＬＥＣ（European  Committee  for  Electrotechnical  Standardization）及びＥＢＵ（European  Broadcasting  Union）のＪＴＣ（Joint  Technical  Committee）により発行されている。実施形態は、この文脈に限定されない。
【００２０】
種々の実施形態では、メディア処理システム１００の種々の要素は、メディア情報及び制御情報のような異なる種類の情報を通信し、管理し又は処理するよう構成されても良い。メディア情報の例は、概して、メディアコンテンツ、音声情報、ビデオ情報、オーディオ情報、画像情報、テキスト情報、数値情報、英数字記号、グラフィック等のようなユーザ向けのマルチメディアコンテンツを示す任意のデータ又は信号を含んでも良い。制御情報は、自動システム向けのコマンド、命令、制御指示又は制御ワードを示す任意のデータ又は信号を表しても良い。例えば、制御情報は、装置間のコネクションを確立するためにメディア情報をシステムを通じて転送し、装置に該メディア情報を所定の方法で処理するよう指示し、状態をモニタ又は通信し、同期化を実行する等のために用いられても良い。実施形態は、この文脈に限定されない。
【００２１】
種々の実施形態では、メディア処理システム１００は、有線通信システム、無線通信システム又は両者の組合せとして実装されても良い。メディア処理システム１００は、例として特定の通信メディアを用いて示され得るが、本願明細書で議論される原理及び技術は、任意の種類の通信メディア及び付随する技術を用いて実施されても良いことが理解される。実施形態は、この文脈に限定されない。
【００２２】
例えば有線システムとして実施されるとき、メディア処理システム１００は、１又は複数の有線通信メディアを介して情報を通信するよう構成された１又は複数の要素を有しても良い。有線通信メディアの例は、ワイヤ、ケーブル、プリント回路基板（ＰＣＢ）、バックプレーン、スイッチ構造、半導体物質、ツイストペアワイヤ、同軸ケーブル、光ファイバ等を含んでも良い。有線通信メディアは、入力／出力（Ｉ／Ｏ）アダプタを用いて装置に接続されても良い。Ｉ／Ｏアダプタは、通信プロトコル、サービス又は動作手順の所望のセットを用いて要素間の情報信号を制御するために、任意の適切な技術で動作するよう構成されても良い。Ｉ／Ｏアダプタは、Ｉ／Ｏアダプタを対応する通信メディアに接続する適切な物理コネクタを有しても良い。Ｉ／Ｏアダプタの例は、ネットワークインタフェース、ネットワークインタフェースカード（ＮＩＣ）、ディスク制御部、ビデオ制御部、オーディオ制御部等を含んでも良い。実施形態は、この文脈に限定されない。
【００２３】
例えば無線システムとして実施されるとき、メディア処理システム１００は、１又は複数の種類の無線通信メディアを介して情報を通信するよう構成された１又は複数の無線要素を有しても良い。無線通信メディアの例は、ＲＦスペクトルのような無線スペクトルの部分を含んでも良い。無線要素は、１又は複数のアンテナ、無線送信機、受信機、送信機／受信機（「通信機」）、増幅器、フィルタ、制御ロジック、アンテナ等のような指定された無線スペクトルを介して情報信号を通信するのに適したコンポーネント及びインタフェースを有しても良い。実施形態は、この文脈に限定されない。
【００２４】
図１に示した実施形態では、メディア処理システム１００は、メディア処理装置１１０を有しても良い。メディア処理装置１１０は、１又は複数の入力装置１０２−ａ、１又は複数の出力装置１０４−ｂ、１又は複数のメディアソース１０６−ｃを更に有しても良い。メディア処理装置１１０は、入力装置１０２−ａ、出力装置１０４−ｂ及びメディアソース１０６−ｃに個々の無線又は有線通信コネクション１０８−ｄ、１１０−ｅ及び１１２−ｆを介して通信可能に結合されても良い。
【００２５】
留意すべき価値のある点は、「ａ」、「ｂ」、「ｃ」及び本願明細書で用いられる同様の指示子は、任意の正整数を表す変数であると意図されることである。したがって、例えば、実装がａ＝５に値を設定した場合、入力装置１０２−ａの完全なセットは、コンピュータ装置１０２−１、１０２−２、１０２−３、１０２−４、１０２−５を有し得る。実施形態は、この文脈に限定されない。
【００２６】
種々の実施形態は、メディア処理装置１１０に情報を供給する入力装置１０２−ａ及びメディア処理装置から情報を受信する出力装置１０４−ｂに言及するが、１又は複数の入力装置１０２−ａ及び出力装置１０４−ｂは、それらの個々のコネクション１０８−ｄ及び１１０−ｅを介してメディア処理装置１１０と情報を交換できても良いことが理解されるべきである。例えば、１又は複数の入力装置１０２−ａは、メディア処理装置１１０に情報を供給し、メディア処理装置１１０から情報を受信するよう動作しても良い。種々の実施形態では、１又は複数の出力装置１０４−ｂは、メディア処理装置１１０から情報を受信し、メディア処理装置１１０へ情報を供給するよう動作しても良い。同様に、メディア処理装置１１０とメディアソース１０６−ｃとの間の双方向の交換があっても良い。例えば、メディアソース１０６−ｃは、メディア処理装置１１０に情報を供給し、メディア処理装置１１０から情報を受信するよう動作しても良い。この例は、メディア処理装置１１０により実施されるＶＯＤ（video  on  demand）アプリケーションであっても良い。実施形態は、この文脈に限定されない。
【００２７】
種々の実施形態では、メディア処理システム１００は、１又は複数の入力装置１０２−ａを有しても良い。概して、各入力装置１０２−ａは、メディア処理装置１１０に情報を供給可能な任意のコンポーネント又は装置を有しても良い。入力装置１０２−ａの例は、遠隔制御、ポインティング装置、キーボード、キーパッド、トラックボール、トラックパッド、タッチスクリーン、ジョイスティック、ゲームコントローラ、センサ、生体センサ、熱センサ、動きセンサ、方向センサ、マイクロフォン、マイクロフォンアレイ、ビデオカメラ、ビデオカメラアレイ、全地球測位システム装置、モバイルコンピュータ装置、ラップトップコンピュータ、デスクトップコンピュータ、ハンドヘルドコンピュータ装置、タブレットコンピュータ装置、ノートブックコンピュータ装置、スマートフォン、携帯電話機、ウエアラブルコンピュータ等を含むが、これらに限定されない。実施形態は、この文脈に限定されない。
【００２８】
種々の実施形態では、メディア処理システム１００は、１又は複数の出力装置１０４−ｂを有しても良い。出力装置１０４−ｂは、人間により消費されるメディアコンテンツを再生し、レンダリングし又は提示可能な任意の電子装置を有しても良い。出力装置１０４−ｂの例は、ディスプレイ、アナログディスプレイ、デジタルディスプレイ、テレビディスプレイ、オーディオスピーカ、ヘッドフォン、印刷装置、照明システム、警告システム、モバイルコンピュータ装置、ラップトップコンピュータ、デスクトップコンピュータ、ハンドヘルドコンピュータ装置、タブレットコンピュータ装置、ノートブックコンピュータ装置等を含むが、これらに限定されない。実施形態は、この文脈に限定されない。
【００２９】
一実施形態では、メディア処理システム１００は、ディスプレイ１０４−１を有しても良い。ディスプレイ１０４−１は、メディアソース１０６−ｃから受信されるメディア情報を提示可能な任意のアナログ又はデジタルディスプレイを有しても良い。ディスプレイ１０４−１は、所定のフォーマット解像度でメディア情報を表示しても良い。種々の実施形態では、例えば、メディアソース１０６−ｃから受信された入来するビデオ信号は、ビジュアル解像度フォーマットと呼ばれる場合の多い固有フォーマットを有しても良い。ビジュアル解像度フォーマットの例は、ＤＴＶ（digital  television）フォーマット、ＨＤＴＶ（high  definition  television）、プログレッシブフォーマット、コンピュータディスプレイフォーマット等を含む。例えば、メディア情報は、４８０可視行／フレーム乃至１０８０可視行／フレームの範囲の垂直解像度フォーマット、及び６４０可視ピクセル／行乃至１９２０可視ピクセル／行の範囲の水平解像度フォーマットでエンコードされても良い。一実施形態では、例えば、メディア情報は、７２０垂直ピクセル及び１２８０水平ピクセル（７２０×１２８０）を表す７２０プログレッシブ（７２０ｐ）のビジュアル解像度フォーマットを有するＨＤＴＶビデオ信号にエンコードされても良い。別の例では、メディア情報は、ＶＧＡ（video  graphics  array）フォーマット解像度（６４０×４８０）、ＸＧＡ（extended  graphics  array）フォーマット解像度（１０２４×７６８）、ＳＸＧＡ（super  XGA）フォーマット解像度（１２８０×１０２４）、ＵＸＧＡ（ultra  XGA）フォーマット解像度（１６００×１２００）等のような種々のコンピュータディスプレイフォーマットに対応するビジュアル解像度フォーマットを有しても良い。実施形態は、この文脈に限定されない。ディスプレイ及びフォーマット解像度の種類は、設計又は性能制約の所与のセットに従い変化しても良い。また、実施形態は、この文脈に限定されない。
【００３０】
種々の実施形態では、メディア処理システム１００は、１又は複数のメディアソース１０６−ｃを有しても良い。メディアソース１０６−ｃは、メディア情報及び／又は制御情報をメディア処理装置１１０から調達する又はそれへ配信することが可能な任意のメディアソースを有しても良い。より詳細には、メディアソース１０６−ｃは、デジタルオーディオ及び／又はビデオ（ＡＶ）信号をメディア処理装置１１０から調達する又はそれへ配信することが可能な任意のメディアソースを有しても良い。メディアソース１０６−ｃの例は、ＤＶＲ（digital  video  recorder）、ＰＶＲ（personal  video  recorder）、ＤＶＤ（digital  versatile  disc）装置、ＶＨＳ（video  home  system）装置、デジタルＶＨＳ装置、ディスクドライブ、ハードドライブ、光ディスクドライブ、ＵＳＢ（universal  serial  bus）フラッシュドライブ、メモリカード、ＳＤ（secure  digital）メモリカード、大容量記憶装置、フラッシュドリ部、コンピュータ、ゲームコンソール、ＣＤ（compact  disc）プレイヤ、コンピュータ可読若しくは機械可読メモリ、デジタルカメラ、カムコーダ、監視テレビ装置、テレビ会議システム、電話システム、医療及び計測機器、スキャナシステム、コピーシステム、テレビシステム、デジタルテレビシステム、セットトップボックス、パーソナルビデオレコーダ、サーバシステム、コンピュータシステム、パーソナルコンピュータシステム、スマートフォン、タブレット、ノートブック、ハンドヘルドコンピュータ、ウエアラブルコンピュータ、ＰＭＰ（portable  media  player）、ＰＭＲ（portable  media  recorder）、デジタルオーディオ装置（例えば、ＭＰ３プレイヤ）、デジタルメディアサーバ等のような、メディア情報を格納及び／又は配信可能な任意のハードウェア又はソフトウェア要素を含んでも良い。メディアソース１０６−ｃの他の例は、メディア処理装置１１０にアナログ又はデジタルＡＶ信号のブロードキャスト又はストリーミングを提供するメディア分配システムを含んでも良い。メディア分配システムの例は、例えば、ＯＴＡ（Over  The  Air）ブロードキャストシステム、ＣＡＴＶ（terrestrial  cable  system）、衛星放送システム等を含んでも良い。留意すべき価値のある点は、メディアソース１０６−ｃは、所与の実装に依存して、メディア処理装置１１０の内部又は外部にあっても良いことである。実施形態は、この文脈に限定されない。
【００３１】
種々の実施形態では、メディア処理システム１００は、１又は複数のメディア処理装置１１０を有しても良い。メディア処理装置１１０は、メディアソース１０６−ｃから受信されるメディア情報を受信、処理、管理及び／又は提示可能な任意の電子機器を有しても良い。通常、メディア処理装置１１０は、特に、処理システム、処理サブシステム、プロセッサ、コンピュータ、装置、エンコーダ、デコーダ、コーダ／デコーダ（コーデック）、フィルタリング装置（例えば、グラフィックスケーリング装置、デブロッキングフィルタリング装置）、変換装置、娯楽システム、ディスプレイ、又は任意の他の処理若しくは通信アーキテクチャを有しても良い。実施形態は、この文脈に限定されない。
【００３２】
メディア処理装置１１０は、処理コンポーネント１１２を用いてメディア処理システム１００のために処理動作又はロジックを実行しても良い。処理コンポーネント１１２は、種々のハードウェア要素、ソフトウェア要素又はそれらの組合せを有しても良い。ハードウェア要素の例は、装置、コンポーネント、プロセッサ、マイクロプロセッサ、回路要素（例えば、トランジスタ、抵抗器、キャパシタ、インダクタ等）、集積回路、ＡＳＩＣ（application  specific  integrated  circuit）、ＰＬＤ（programmable  logic  device）、ＤＳＰ（digital  signal  processor）、ＦＰＧＡ（field  programmable  gate  array）、メモリユニット、論理ゲート、レジスタ、半導体装置、チップ、マイクロチップ、チップセット等を有しても良い。ソフトウェア要素の例は、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、関数、メソッド、プロシジャ、ソフトウェアインタフェース、ＡＰＩ（application  program  interface）、命令セット、コンピューティングコード、コンピュータコード、コードセグメント、コンピュータコードセグメント、ワード、値、シンボル、又はそれらの任意の組合せを含んでも良い。実施形態がハードウェア要素及び／又はソフトウェア要素を用いて実装されるかの決定は、所与の実装についての要望により、所望の計算レート、パワーレベル、熱耐性、処理周期バジェット、入力データレート、出力データレート、メモリ資源、データバス速度、及び他の設計若しくは性能制約のような任意の数の要因に従って変化し得る。
【００３３】
メディア処理装置１１０は、通信コンポーネント１２０を用いてメディア処理システム１００のために通信動作又はロジックを実行しても良い。通信コンポーネント１２０は、パケット交換ネットワーク（例えば、インターネットのような公衆ネットワーク、企業イントラネットのような私設ネットワーク等）、回線交換ネットワーク（例えば、公衆交換電話網）、又は（適切なゲートウェイ及びトランスレータを備えた）パケット交換ネットワークと回線交換ネットワークの組合せと共に使用するのに適した技術のような任意の良く知られた通信技術及びプロトコルを実装しても良い。通信コンポーネント１２０は、１又は複数の通信インタフェース、ネットワークインタフェース、ＮＩＣ（network  interface  card）、無線機、無線送信機／受信機（通信機）、有線及び／又は無線通信媒体、赤外線通信機、シリアルインタフェース、パラレルインタフェース、バスインタフェース、物理コネクタ等のような種々の標準通信要素を有しても良い。例として、通信メディア１２０は、前述のように有線通信メディア及び無線通信メディアを含むが、これらに限定されない。
【００３４】
種々の実施形態では、メディア処理装置１１０は、視覚的に増強されたデジタルオンスクリーングラフィックコンポーネント１１４を有しても良い。視覚的に増強されたデジタルオンスクリーングラフィックコンポーネント１１４は、説明を目的としてメディア処理装置１１０の一部として示されるが、これに限定されない。理解されるべき点は、種々の実施形態では、視覚的に増強されたデジタルオンスクリーングラフィックコンポーネント１１４は、メディア処理システム１００の他の装置、コンポーネント又はノード内に置かれ得ること、それが依然として記載される実施形態の範囲に包含されることである。
【００３５】
図２は、図１のメディア処理システム１００と同じ又は同様のメディア処理システム２００のブロック図を示す。図中、同様の要素は同様に番号を付される。メディア処理システム２００は、異種メディアソースからのメディアコンテンツを、家庭、職場又は室内環境にいる視聴者に提供するよう構成される例示的なデジタルホームシステムの実装を有しても良い。図２のメディア処理システム２００は、限られた数の要素を特定のトポロジで有するが、所与の実施の必要に応じてメディア処理システム２００はより多くの又は少ない要素を別のトポロジで有しても良いことが理解される。実施形態は、この文脈に限定されない。
【００３６】
図２に示した実施形態では、メディア処理システム２００は、メディア処理装置１１０、入力装置１０２−１、出力装置１０４−１、１０４−２及び１０４−３、並びに１又は複数のメディアソース１０６（図示しない）を有しても良い。メディア処理装置１１０は、入力装置１０２−１、出力装置１０４−１、１０４−２、１０４−３及びメディアソース１０６に個々の無線又は有線通信コネクション１０８−２、１１０−１、１１０−２及び１１０−３を介して通信可能に結合されても良い。説明を目的として、図２の１又は複数のメディアソース１０６（図示しない）は、メディア処理装置１１０の一部であるか又はそれに統合される。他の実施形態が記載され、請求される。
【００３７】
種々の実施形態では、メディア処理装置１１０は、セットトップボックス、デジタルメディアハブ、メディアサーバ、又はデジタルホームシステム２００を制御するよう構成された他の適切な処理装置を有しても良い。図２には別個のコンポーネントとして示したが、理解されるべき点は、幾つかの実施形態では、メディア処理装置１１０が出力装置１０４−１の一部又はシステム２００の任意の他の適切なコンポーネントとして構成されても良いことである。幾つかの実施形態では、出力装置１０４−１は、メディア処理装置１１０からコネクション１１０−１を介して受信された情報を表示するよう構成されたデジタルテレビを有しても良い。種々の実施形態では、出力装置１０４−２及び１０４−３は、メディア処理装置１１０からそれぞれコネクション１１０−２及び１１０−３を介して受信したオーディオ又は他の音響信号を再生するよう構成されたスピーカを有しても良い。入力装置１０２−１は、リモコン、スマートフォン、又はメディア処理装置１１０、出力装置１０４−１若しくはデジタルホームシステム２００内の任意の他の装置と通信可能な他の適切な処理装置を有しても良い。メディア処理システム２００のこれらのコンポーネント、ノード又は装置の各々は、一緒に、デジタルホーム娯楽システムの１つの例示的な実施形態を形成し又は有しても良い。実施形態は、図２に示した種類、数又は配置のコンポーネントに限定されない。
【００３８】
図３は、視覚的に増強されたデジタルオンスクリーングラフィックコンポーネント３００の一実施形態を示す。一実施形態では、視覚的に増強されたデジタルオンスクリーングラフィックコンポーネント３００は、デジタルオンスクリーングラフィック認識コンポーネント３１０、増強オーバレイ決定コンポーネント３１５、メニューセグメント化コンポーネント３２０、視覚的に増強されたデジタルオンスクリーングラフィック実装コンポーネント３３０を有しても良い。
【００３９】
視覚的に増強されたデジタルオンスクリーングラフィックコンポーネント３００は、視覚的に目立たない方法で、種々の形式の娯楽への統一アクセスを生成できる。テレビ視聴者はデジタルオンスクリーングラフィックを見ることに慣れているので、視覚的に増強されたデジタルオンスクリーングラフィックコンポーネントは、視覚的に目立たない。結果として、デジタルオンスクリーングラフィックの視覚的な増強は、ユーザによって容易に受け入れられ得る視覚的に増強されたデジタルオンスクリーングラフィックコンポーネント３０５は、マルチメディアストリームに既に埋め込まれたデジタルオンスクリーングラフィックを増強しても良い。メディア処理装置は、電子ディスプレイ上のマルチメディアストリームを妨害することなく、種々の形式のメディアに関する情報を含めるために、デジタルオンスクリーングラフィックを視覚的に増強しても良い。
【００４０】
図４は、デジタルオンスクリーングラフィック認識コンポーネントの一実施形態を示す。デジタルオンスクリーングラフィック認識コンポーネント４００は、マルチメディアストリームからデジタルオンスクリーングラフィックを決定するために用いられても良い。一実施形態では、マルチメディアストリームは、ライブ供給（live  feed）であっても良い。一実施形態では、デジタルオンスクリーングラフィックは、マルチメディアストリームの１又は複数のビデオフレームから識別されても良い。
【００４１】
一実施形態では、デジタルオンスクリーングラフィックは、バグとして表されても良い一実施形態では、デジタルオンスクリーングラフィックは、テレビネットワークを識別するための用いられる透かしのようなロゴであっても良い。一実施形態では、デジタルオンスクリーングラフィックは、ＮＢＣ（登録商標）の孔雀及び／又はＣＢＳ（登録商標）の目のような認識可能なマーク又はロゴであっても良いが、これらに限定されない。
【００４２】
一実施形態では、デジタルオンスクリーングラフィックは、マルチメディアストリームの１又は複数のフレームの同じ位置に現れる静止した持続的な画像であっても良い。一実施形態では、マルチメディアストリームは、ブロードキャストマルチメディアストリームであっても良い。デジタルオンスクリーングラフィックは静止画像なので、デジタルオンスクリーングラフィック認識コンポーネント４００は、マルチメディアストリームからの１又は複数の順次フレームを用いてデジタルオンスクリーングラフィックを決定できる。
【００４３】
一実施形態では、デジタルオンスクリーングラフィック認識コンポーネント４００は、パターン認識コンポーネント４１０を有しても良い一実施形態では、パターン認識コンポーネント４１０は、パターンマッチングアルゴリズムを用いてデジタルオンスクリーングラフィックの場所を特定しても良い。パターン認識コンポーネント４１０は、パターンマッチングアルゴリズムを用いて、画像要素又は画像の部分が１又は複数の順次フレーム内で繰り返されているか否かを決定してもよい。パターン認識コンポーネント４１０は、繰り返し画像が静止画像であり１又は複数のフレーム内の同じ場所に現れるか否かを決定しても良い。一実施形態では、パターン認識コンポーネント４１０は、パターン認識を用いて、１又は複数の順次フレーム内の繰り返し画像が、画像ライブラリ内の画像と一致するか否かを決定しても良い。１又は複数の順次フレーム内の繰り返し画像がライブラリ内に出現した場合、パターン認識コンポーネント４１０は、繰り返し画像がデジタルオンスクリーングラフィックであると決定しても良い。例えば、画像ライブラリは、複数のネットワークのデジタルオンスクリーングラフィックの画像を有しても良い。一実施形態では、パターン認識は、ライブラリ内の画像と一致するフレームから静止画像を識別しても良い。
【００４４】
一実施形態では、デジタルオンスクリーングラフィック認識コンポーネント４００は、算術演算コンポーネント４２０を有しても良い算術演算コンポーネント４２０は、算術演算を用いて、マルチメディアストリームの複数の順次フレームを用いたデジタルオンスクリーングラフィックを決定しても良い。一実施形態では、算術演算コンポーネント４２０は、積分計算を用いてどの画像がデジタルオンスクリーングラフィックかを決定しても良い。フレームに渡る積分により、非静止要素の変動は時間をかけて除去でき、画像の持続的要素が計算を支配し得る。例えば、積分計算は、最後の１０−６０フレームを用いて、どの画像がデジタルオンスクリーングラフィックかを決定しても良い。例えば、積分計算は、最後の２−５秒に渡る最後のフレームセットを用いて、どの画像がデジタルオンスクリーングラフィックかを決定しても良い。
【００４５】
一実施形態では、デジタルオンスクリーングラフィック認識コンポーネント４００は、フレーム全体を探して、デジタルオンスクリーン画像が存在するか否かを決定しても良い。通常、デジタルオンスクリーングラフィックは、フレームの右下角に現れる。一実施形態では、デジタルオンスクリーングラフィック認識コンポーネント４００は、フレームの下半分からデジタルオンスクリーングラフィックを探しても良い。デジタルオンスクリーングラフィック認識コンポーネント４００は、フレームの下側の３分の１からデジタルオンスクリーングラフィックを探しても良い。一実施形態では、デジタルオンスクリーングラフィック認識コンポーネント４００は、フレームの右側のみからデジタルオンスクリーングラフィックを探しても良い。一実施形態では、デジタルオンスクリーングラフィック認識コンポーネント４００は、フレームの右側のみ、下側の３分の１からデジタルオンスクリーングラフィックを探しても良い。実施形態は、この文脈に限定されない。
【００４６】
図５は、増強オーバレイ決定コンポーネント５００の一実施形態を示す。一実施形態では、増強オーバレイ決定コンポーネント５００は、デジタルオンスクリーングラフィックに基づき増強オーバレイを決定しても良い。一実施形態では、増強オーバレイ決定コンポーネント５００は、デジタルオンスクリーングラフィックの特性に基づき増強オーバレイを選択しても良い。
【００４７】
一実施形態では、増強オーバレイ決定コンポーネント５００は、形状決定コンポーネント５０５を有しても良い。形状決定コンポーネント５０５は、デジタルオンスクリーングラフィックの形状を決定しても良い。一実施形態では、増強オーバレイは、デジタルオンスクリーングラフィックの形状に基づき決定されても良い。一実施形態では、増強オーバレイの形状は、円形、長方形、三角形又は別の多角形であっても良い。他の増強オーバレイの形状も同様に実施されても良い。
【００４８】
デジタルオンスクリーングラフィックの形状に基づき、形状決定コンポーネント５０５により適切な増強オーバレイが決定されても良い。例えば、デジタルオンスクリーングラフィックが円の場合、円形の増強オーバレイが決定されても良い。例えば、デジタルオンスクリーングラフィックが五角形の場合、五角形の増強オーバレイが決定されても良い。
【００４９】
一実施形態では、増強オーバレイはデジタルオンスクリーングラフィックに基づき決定されるが、増強オーバレイは、デジタルオンスクリーングラフィックと同じ形状である必要はない。例えば、デジタルオンスクリーングラフィックが正方形の場合、長方形の増強オーバレイが決定されても良い。例えば、デジタルオンスクリーングラフィックが楕円の場合、円形の増強オーバレイが決定されても良い。例えば、デジタルオンスクリーングラフィックが五角形の場合、多角形の増強オーバレイが決定されても良い。実施形態は、この文脈に限定されない。
【００５０】
一実施形態では、形状決定コンポーネント５０５は、デジタルオンスクリーングラフィックの形状及び異なる形状が決定される増強オーバレイを決定しても良い。例えば、デジタルオンスクリーングラフィックが三角形であり、増強オーバレイが円であっても良い一実施形態では、有限数の増強オーバレイが生成され、増強オーバレイ決定コンポーネント５００により用いられても良い。
【００５１】
一実施形態では、増強オーバレイ決定コンポーネント５００は、サイズ決定コンポーネント５１０を有しても良い。一実施形態では、サイズ決定コンポーネント５１０は、デジタルオンスクリーングラフィックのサイズに基づき増強オーバレイを拡大縮小しても良い。一実施形態では、サイズ決定コンポーネント５１０は、デジタルオンスクリーングラフィックの周りに適合するよう増強オーバレイを引き伸ばし又は拡張しても良い。一実施形態では、サイズ決定コンポーネント５１０は、デジタルオンスクリーングラフィックの周りに適合するよう増強オーバレイを縮小しても良い。一実施形態では、オーバレイは、デジタルオンスクリーングラフィックの周りに少なくとも部分的に適合するよう不均一に拡大縮小されるか又は曲げられても良い。一実施形態では、増強オーバレイは、デジタルオンスクリーングラフィックのサイズに比例しても良い。例えば、増強オーバレイは、デジタルオンスクリーングラフィックより１／６乃至１／３大きくても良い。
【００５２】
一実施形態では、増強オーバレイの大きさは、増強オーバレイがデジタルオンスクリーングラフィックの頂点に重なり合うように、サイズ決定コンポーネント５１０により決定されても良い。一実施形態では、増強オーバレイは、デジタルオンスクリーングラフィックを少なくとも部分的に強化しても良い。一実施形態では、増強オーバレイは、デジタルオンスクリーングラフィックを少なくとも部分的に取り囲んでも良い。
【００５３】
一実施形態では、増強オーバレイ決定コンポーネント５００は、アルファ合成コンポーネント５１３を有しても良い。一実施形態では、アルファ合成コンポーネント５１３は、増強オーバレイが半透明であり得ることを決定しても良い。一実施形態では、半透明増強オーバレイは、デジタルオンスクリーングラフィックを強化しても良い。一実施形態では、増強オーバレイの内部（例えば、増強オーバレイの中央）は、デジタルオンスクリーングラフィックの少なくとも一部を取り囲む増強オーバレイが存在するように、透明であっても良い。例えば、円形の増強オーバレイは、輪として現れても良い。例えば、正方形の輪郭のみが、デジタルオンスクリーングラフィックを取り囲むよう示されても良い。
【００５４】
一実施形態では、増強オーバレイ決定コンポーネント５００は、色決定コンポーネント５１５を有しても良い。増強オーバレイの外部又は外側は、１又は複数の色を用いて視覚的に示されても良い。一実施形態では、色決定コンポーネント５１５は、デジタルオンスクリーングラフィックの色を決定しても良い。一実施形態では、色決定コンポーネント５１５により決定された色は、デジタルオンスクリーングラフィックと一致する又はそれを補完する増強オーバレイを生成するために用いられても良い。一実施形態では、色決定コンポーネント５１５により決定された色は、マルチメディアストリーム内に存在する画像と調和する増強オーバレイを生成するために用いられても良い。一実施形態では、増強オーバレイは、フレームの他の像から視覚的に注意をそらさせないように生成されても良い。
【００５５】
一実施形態では、増強オーバレイ決定コンポーネント５００は、次元決定コンポーネント５２０を有しても良い。一実施形態では、次元決定コンポーネント５２０は、デジタルオンスクリーングラフィックが１次元、２次元又は３次元かを決定しても良い。次元決定コンポーネント５２０は、増強オーバレイの次元がデジタルオンスクリーングラフィックの次元に一致するようにしても良い。増強オーバレイは、マルチメディアストリーム内の他の視覚的要素に適合する美観で提示されても良い。
【００５６】
一実施形態では、デジタルオンスクリーングラフィック認識コンポーネント４００は、マルチメディアストリーム内のデジタルオンスクリーングラフィックの場所を特定しなくても良い。例えば、テレビ番組中にデジタルオンスクリーングラフィックの場所が特定されても良い。しかしながら、コマーシャル中、デジタルオンスクリーングラフィックは、マルチメディアストリームから消えても良い。一実施形態では、映画は放送チャネルと関連しない電子ディスプレイに示されているので、デジタルオンスクリーングラフィック認識コンポーネント４００は、デジタルオンスクリーングラフィックの場所を特定しなくても良い。
【００５７】
一実施形態では、デジタルオンスクリーングラフィックがデジタルオンスクリーングラフィック認識コンポーネント４００により場所を特定されないとき、増強オーバレイ決定コンポーネント５００は、デジタルオンスクリーングラフィックを有しない増強オーバレイを電子ディスプレイに提示しても良い。一実施形態では、デジタルオンスクリーングラフィックが場所を特定されない場合、増強オーバレイは、規定の場所に提示されても良い。一実施形態では、増強オーバレイは、デジタルオンスクリーングラフィックが存在しないとき、最小化されても良い。一実施形態では、増強オーバレイは、前のフレーム内でデジタルオンスクリーングラフィックが提示されたときに位置決めされたのと同じ場所に残っても良い。一実施形態では、増強オーバレイは、デジタルオンスクリーングラフィックが消えるときに消えても良く、増強オーバレイは、デジタルオンスクリーングラフィックが再び現れるときに再び現れても良い。
【００５８】
図６は、メニューセグメント化コンポーネント６００の一実施形態を示す。一実施形態では、メニューセグメント化コンポーネント６００は、増強オーバレイを１又は複数のセグメントに分割しても良い。
【００５９】
一実施形態では、メニューセグメント化コンポーネント６００は、二次オブジェクトをトリガするようセグメントを構成しても良い。二次オブジェクトは、プログラム、アプリケーション及び／又は機能であっても良い。二次オブジェクトは、娯楽システムの種々の態様に対応するアイテムであっても良い。例えば、二次オブジェクトは、特に、ウェブショッピング、強化コンテンツ、他のユーザとのチャット、他のユーザとの情報共有、電子メール、及び／又はＤＶＲの他のイベント若しくは推奨を含んでも良いが、これらに限定されない。
【００６０】
一実施形態では、増強オーバレイは、１又は複数のセグメントを有しても良い。一実施形態では、セグメントは、半透明増強オーバレイの不透明部分であっても良い。例えば、円形の増強オーバレイでは、円の内側は透明であり、デジタルオンスクリーングラフィックを提示させても良い。円の外縁又は輪は、セグメント化されても良い。
【００６１】
一実施形態では、セグメントは、ユーザにより選択されても良い。一実施形態では、ユーザは、特に他の入力装置の中で、リモコン、タッチセンシティブ装置、ジェスチャ認識システム及び／又は入力装置のうちの１又は複数を用いてセグメントを選択しても良い。
【００６２】
一実施形態では、セグメントは、メニューアクセスポイントを提供しても良い。一実施形態では、セグメントは、メニューアイテム又は娯楽アプリケーションに対応しても良い。例えば、メニューは、特に他のメニューアイテムの中で、インターネットの１つのメニューアイテム、電子メールの１つのメニューアイテム、及び／又はＤＶＲの１つのメニューアイテムを有しても良い。増強オーバレイは、各セグメントがメニューアイテムに対応するようにセグメント化されても良い。
【００６３】
一実施形態では、セグメントの選択は、１又は複数のメニューアイテムを提起しても良い。一実施形態では、メニューアイテムは、セグメントが選択される前に、提起され及び／又は明らかにされても良い。一実施形態では、メニューアイテムは、カーソルが増強オーバレイの上又はその近くの場所の辺りにあるとき、提起されても良い。
【００６４】
一実施形態では、１又は複数の選択可能なメニューアイテムは、増強オーバレイに従って、デジタルオンスクリーングラフィックの周りに配置されても良い。
【００６５】
一実施形態では、メニューアイテム及び／又は対応するセグメントの選択は、二次オブジェクトが電子ディスプレイに現れるようトリガしても良い。例えば、選択されたセグメントは、現在又は将来の番組放送の予定された録画を提示する二次オブジェクトをトリガしても良い。例えば、セグメント及び／又は対応するメニューアイテムの選択は、現在の番組に関連する商取引機能又はウェブサイトが提示されるようトリガしても良い。
【００６６】
一実施形態では、メニューセグメント化コンポーネント６００は、現在コンテンツコンポーネント６１０、ユーザ嗜好コンポーネント６１５及び／又は他の入力コンポーネント６２０を介して、増強オーバレイのセグメントを決定しても良い。
【００６７】
一実施形態では、現在コンテンツコンポーネント６１０は、現在提示されているコンテンツに基づき、１又は複数のセグメントを決定しても良い。一実施形態では、セグメントは、マルチメディアストリームの現在提示されているコンテンツに基づき決定されても良い。例えば、ユーザが料理番組を観ている場合、現在コンテンツコンポーネント６１０は、増強オーバレイの１つのセグメントが、料理アイテムが購入できる場所を列挙したウェブページの提示をトリガすることを決定しても良い。
【００６８】
一実施形態では、現在コンテンツコンポーネント６１０は、１又は複数のセグメントの関与する二次オブジェクトの特定の動作を決定しても良い。例えば、セグメント及び／又はメニューアイテムは、常に同じであっても良く、常に「ショップ」セグメント及び／又はメニューアイテムが存在しても良い。しかしながら、「ショップ」セグメント及び／又はメニューアイテムによりトリガされる二次オブジェクトは、メディアストリームのコンテンツに応答しても良い。例えば、ユーザがMartha  Stewart  Show（登録商標）を観ている場合、「ショップ」セグメント及び／又はアイテムは、ユーザを料理店に連れて行っても良い。
【００６９】
一実施形態では、セグメントは、ユーザ嗜好コンポーネント６１５に基づき決定されても良い。例えば、ユーザ嗜好コンポーネントは、お気に入りのインターネットウェブ通信が電子ディスプレイに提示されるようトリガするセグメントを生成しても良い。一実施形態では、ユーザ嗜好コンポーネント６１５は、ユーザからの前の選択により決定されたセグメントを生成しても良い。例えば、ユーザ嗜好コンポーネントは、頻繁に閲覧されるウェブページが電子ディスプレイに提示されるようトリガするセグメントを生成しても良い。
【００７０】
一実施形態では、セグメントの数及びセグメントの動作は、現在コンテンツコンポーネント６１０及びユーザ嗜好コンポーネント６１５からの情報の組合せにより決定されても良い。一実施形態では、セグメントの数及び動作は、ユーザの嗜好により決定されも良いが、電子ディスプレイに提示されているコンテンツにより駆動されても良い。例えば、ユーザ嗜好コンポーネント６１０は、ショッピングウェブサイトをトリガするセグメントを生成しても良く、現在コンテンツコンポーネント６１５は、マルチメディアストリームに基づきショッピングウェブサイトの種類を決定しても良い。
【００７１】
一実施形態では、セグメントは、他の入力コンポーネント６２０に基づき決定されても良い。一実施形態では、他の入力コンポーネント６２０は、他の例の中でも特に、歴史的なユーザの閲覧する興味、ユーザの嗜好、インターネットのクッキー及び／又はＤＶＲ録画のような情報に基づき、１又は複数のセグメントを決定しても良い。
【００７２】
図７は、視覚的に増強されたデジタルオンスクリーングラフィックコンポーネント７００の一実施形態を示す。一実施形態では、視覚的に増強されたデジタルオンスクリーングラフィック実装コンポーネント７００は、警告コンポーネント７１０及び情報コンポーネント７２０を有しても良い。
【００７３】
一実施形態では、視覚的に増強されたデジタルオンスクリーングラフィック実装コンポーネント７００は、警告コンポーネント７１０を有しても良い。一実施形態では、警告コンポーネント７１０は、セグメント化増強オーバレイを用いて、ユーザに娯楽関連イベントを警告しても良い。一実施形態では、警告コンポーネント７１０は、セグメントに対応するメニューアイテムを用いて、ユーザに娯楽関連イベントを警告しても良い。一実施形態では、娯楽関連イベントは、メニューセグメント化コンポーネントにより決定されたセグメント及び対応するメニューアイテムに基づいても良い。一実施形態では、警告は、セグメントに対応するメニューアイテムを介してアクセス可能な二次オブジェクトの中に、アクティビティ、興味のあるイベント、又は興味のある利用可能なアイテムを示しても良い。
【００７４】
一実施形態では、警告コンポーネント７１０は、１又は複数のセグメントを用いて警告を生成しても良い。一実施形態では、警告コンポーネント７１０は、全てのセグメントを用いて警告を生成しても良い。例えば、警告はリング全体を用いても良い。一実施形態では、警告コンポーネント７１０は、増強オーバレイの１又は複数のセグメント内の色を変えることにより、警告を生成しても良い。一実施形態では、警告コンポーネント７１０は、増強オーバレイの全セグメントの色を変えることにより、警告を生成しても良い。例えば、セグメントの色は、電子メールが受信されたときに変化しても良い。一実施形態であｈ、増強オーバレイの１又は複数のセグメントの色は、ユーザに特定の意味を提供しても良い。例えば、視覚的に増強されたバグ実装コンポーネント７００は、赤いリングを提示して、現在提示されている番組が録画中であることを示しても良い。例えば、視覚的に増強されたバグ実装コンポーネント７００は、青いリングを提示して、異なる番組が録画中であることを示しても良い。例えば、視覚的に増強されたバグ実装コンポーネント７００は、緑のリングを提示して、番組が利用可能な強化コンテンツを有することを示しても良い。例えば、視覚的に増強されたバグ実装コンポーネント７００は、黄色いリングを提示して、入来するメッセージの到着を示しても良い。他の視覚的変更も同様に実施され得る。
【００７５】
一実施形態では、警告コンポーネント７１０は、１又は複数のセグメントを明るくする及び／又は強い光を放つようにすることにより、警告を生成しても良い。一実施形態では、警告コンポーネント７１０は、全セグメントを明るくする及び／又は強い光を放つようにすることにより、警告を生成しても良い。例えば、セグメントは、利用可能な強化コンテンツが存在するとき、明るくなり及び／又は強い光を放っても良い。他の視覚的変更も同様に実施され得る。
【００７６】
一実施形態では、警告コンポーネント７１０は、増強オーバレイの１又は複数のセグメント内で時間的な変化を生じさせることにより、警告を生成しても良い。一実施形態では、警告コンポーネント７１０は、増強オーバレイの全セグメント内で時間的な変化を生じさせることにより、警告を生成しても良い。一実施形態では、時間的変化は、１又は複数の振動、閃光又は点滅するセグメントであっても良い。一実施形態では、振動、閃光又は点滅は、所定のレートであっても良い。例えば、ゆっくり振動するセグメントは、ユーザに興味のある番組が近づきつつあることを知らせても良い。また、速く振動するセグメントは、視聴者に興味のある番組が現在放送中であり録画されていないことを知らせても良い。他の視覚的変更も同様に実施され得る。
【００７７】
一実施形態では、視覚的に増強されたデジタルオンスクリーングラフィック実装コンポーネント７００は、情報コンポーネント７２０を有しても良い。一実施形態では、情報コンポーネント７２０は、ユーザにより選択されたセグメントに基づき情報を提供しても良い。一実施形態では、ユーザがセグメントを選択するとき、セグメントは、更なる情報を提供するよう拡張されても良い。例えば、ユーザが映画を観ている場合、ユーザは「関連情報（about）」セグメントを選択しても良い。一実施形態では、ユーザは、「関連情報」メニューアイテムに対応するセグメントを選択しても良い。ユーザが「関連情報」セグメント及び／又はメニューアイテムを選択した後、タイトル、公開日及び／又は俳優名を含むがこれらに限定されない映画に関する情報が、電子ディスプレイに提示されても良い。一実施形態では、ユーザがセグメントを選択するとき、マルチメディアストリームに一層視覚的に直感的な情報が提示されても良い。
【００７８】
図８の（Ａ）−（Ｄ）は、視覚的に増強されたデジタルオンスクリーングラフィックの実施形態を示す。一実施形態では、テレビ局ＮＢＣ（登録商標）のマルチメディアストリームが電子ディスプレイに提示されても良い。デジタルオンスクリーングラフィック８０５は、増強オーバレイ決定コンポーネントにより決定されても良い。増強オーバレイ決定コンポーネントは、マルチメディアストリームの１又は複数のフレームからデジタルオンスクリーングラフィック８０５を決定しても良い。
【００７９】
図８（Ａ）は、マルチメディアストリームからのフレームを示す。図８（Ａ）に示されるように、デジタルオンスクリーングラフィック８０５はＮＢＣ（登録商標）のアイコンであっても良い。デジタルオンスクリーングラフィック８０５は、フレームの右下角に置かれても良い。
【００８０】
図８の（Ｂ）は、デジタルオンスクリーングラフィックを強化する円形増強オーバレイを示す。一実施形態では、円形増強オーバレイは、デジタルオンスクリーングラフィックを取り囲んでも良い。デジタルオンスクリーングラフィック８０５が識別されると、増強オーバレイが選択されても良い。一実施形態では、ＮＢＣ（登録商標）のアイコンの形状は、半円として決定されても良い。デジタルオンスクリーングラフィックが半円なので、円形の増強オーバレイが選択されても良い。一実施形態では、半透明円形増強オーバレイが、増強オーバレイ決定コンポーネントにより決定されても良い。図８（Ｂ）は、ＮＢＣ（登録商標）アイコンを取り囲む円８１０の輪郭を示す。デジタルオンスクリーングラフィック８０５は、実線の輪８１０により囲まれても良い。
【００８１】
一実施形態では、増強オーバレイの１又は複数のセグメントが決定されても良い。図８（Ｃ）は、セグメント化された増強オーバレイを示す。図８（Ｃ）では、デジタルオンスクリーングラフィックは、破線の輪により囲まれても良い。一実施形態では、輪のセグメント８１５は、娯楽メニューのメニューアイテム又はカテゴリを示しても良い。例えば、輪は、６個のセグメントを有し、各セグメントはメニュー内のアイテム又は機能に対応しても良い。
【００８２】
一実施形態では、セグメント８１５は、ハイライトされても良い。一実施形態では、セグメント８１５は、ユーザに警告するためにハイライトされても良い。一実施形態では、警告は、セグメント８１５に対応するメニューアイテムを介してアクセス可能な二次オブジェクトの中に、アクティビティ、興味のあるイベント、又は興味のある利用可能なアイテムを示しても良い。一実施形態では、対応するメニューアイテムの中にアクティビティが存在するので、セグメント８１５はハイライトされても良い。例えば、セグメント「チャット」８１５は、別のユーザがチャットセッションを要求しているので、ハイライトされても良い。一実施形態では、セグメントは、ユーザが録画したいかも知れない番組が間もなく始まるので、ハイライトされても良い。一実施形態では、セグメントは、番組に関する追加情報が利用可能なので、ハイライトされても良い。一実施形態では、セグメントは、強化コンテンツが利用可能なので、ハイライトされても良い。実施形態は、この文脈に限定されない。
【００８３】
図８（Ｄ）は、選択可能なメニューにより囲まれたデジタルオンスクリーングラフィックを示す。一実施形態では、セグメント８１５に対応するメニューアイテム８２０が提示されても良い。図８（Ｄ）では、メニューアイテム８２０は、ｍｙＴＶ、ｓｈａｒｅ（共有）、ｓｈｏｐ（ショップ）、ｒｅｌａｔｅ（関連）、ｃｈａｔ（チャット）及びｒｅｃｏｒｄ（録画）を含んでも良いが、これらに限定されない。一実施形態では、セグメント８１５に対応するメニューアイテム８２０の選択は、二次オブジェクトをトリガしても良い。
【００８４】
一実施形態では、メニューアイテム「ｍｙＴＶ」に対応するセグメントは、ユーザのお気に入りの番組のリストのような二次オブジェクトをトリガしても良い。一実施形態では、「ｍｙＴＶ」は、ユーザのお気に入りのＴＶ番組に関する情報が電子ディスプレイに提示されるようトリガしても良い。一実施形態では、メニューアイテム「ｍｙＴＶ」は、特定のチャネルの現在の及び／又は将来の番組のリストをトリガしても良い。一実施形態では、メニューアイテム「ｍｙＴＶ」は、過去の嗜好に基づき、ユーザのために推奨されるテレビ番組のリストをトリガしても良い。
【００８５】
一実施形態では、メニューアイテム「ｓｈａｒｅ」に対応するセグメントは、ユーザに他のユーザと情報を共有させる二次オブジェクトをトリガしても良い。例えば、ユーザが別のユーザに番組を録画することを提案したい場合、セグメント「ｓｈａｒｅ」は、ユーザに仲間のユーザにその提案を提供させる二次オブジェクトをトリガしても良い。一実施形態では、メニューアイテム「ｓｈａｒｅ」に対応するセグメントは、掲示板及び／又はソーシャルネットワーキングサイトが電子ディスプレイに現れるようトリガしても良い。
【００８６】
一実施形態では、メニューアイテム「ｓｈｏｐ」に対応するセグメントは、ユーザ購入し得るアイテムを列挙する二次オブジェクトをトリガしても良い。セグメント「ｓｈｏｐｐｉｎｇ」は、現在停止されているコンテンツ及び／又はユーザ嗜好に基づき、推奨をトリガしても良い。例えば、コメディが現在提示されおり、ユーザが以前に書籍を購入した場合、セグメント「ｓｈｏｐｐｉｎｇ」は、コメディアンにより著された書籍の推奨をトリガしても良い。
【００８７】
一実施形態では、メニューアイテム「ｒｅｌａｔｅ」に対応するセグメントは、現在提示されているコンテンツに関するアイテムのリストをトリガしても良い。例えば、ユーザがパン焼きに関するテレビ番組を観ている場合、セグメント「ｒｅｌａｔｅ」に対してトリガされる二次オブジェクトは、レシピ、近所の食料品店の場所、近所のペストリー店の場所及び／又は料理必需品を含んでも良いが、これらに限定されない。
【００８８】
一実施形態では、メニューアイテム「ｃｈａｔ」に対応するセグメントは、ユーザが現在チャットできる人のリストをトリガしても良い。一実施形態では、「ｃｈａｔ」セグメントは、音声及び／又はビデオチャットプログラムをトリガしても良い。
【００８９】
一実施形態では、メニューアイテム「ｒｅｃｏｒｄ」に対応するセグメントは、以前にＤＶＲで録画されたテレビ番組のリスト又はセットをトリガしても良い。セグメント「ｒｅｃｏｒｄ」は、録画されるべきテレビ番組のリスト又はセットをトリガしても良い。セグメント「ｒｅｃｏｒｄ」は、ＤＶＲへ提案されたテレビ番組のリスト又はセットをトリガしても良い。
【００９０】
図８の（Ｃ）は、ハイライトされたセグメントを示す。一実施形態では、セグメントは、ハイライトされても良い。一実施形態では、セグメントは、ハイライトされたセグメントを選択しても良い。図８の（Ｄ）は、ハイライトされたメニューアイテムを示す。ユーザがハイライトされたセグメントを選択した後、該セグメントに対応するメニューは、ハイライトされて現れても良い。一実施形態では、ユーザがカーソルを増強オーバレイの少なくとも一部の上で移動させた場合、セグメントに対応するメニューはハイライトされて現れても良い。
【００９１】
一実施形態では、「ｃｈａｔ」のようなセグメント及び対応するメニューアイテムは、ハイライトされても良い。一実施形態では、セグメント及びメニューアイテムは、ユーザに警告するためにハイライトされても良い。例えば、セグメント及び対応するメニューアイテム「ｃｈａｔ」は、インターネットベースの電話サービス、音声及び／又はチャットプログラムの二次オブジェクトをトリガしても良い。セグメント及びメニューアイテムは、ユーザに誰かが彼らとチャットしたいことを警告するために、ハイライトされても良い。例えば、セグメント及びメニューアイテム「ｃｈａｔ」は、ユーザに特定の人物がチャットするために対応できることを警告するために、ハイライトされても良い。
【００９２】
図９は、視覚的に増強されたデジタルオンスクリーングラフィックを有するマルチメディアストリームの一実施形態を示す。図９に示すように、デジタルオンスクリーングラフィック９０５は、マルチメディアストリームの右下角にあるＦＩＮＥ  ＬＩＶＩＮＧボックスであると決定され得る。増強オーバレイは、ＦＩＮＥ  ＬＩＶＩＮＧボックスに基づき決定できる。ＦＩＮＥ  ＬＩＶＩＮＧボックスは、長方形であっても良い。増強オーバレイ９１０は、ＦＩＮＥ  ＬＩＶＩＮＧボックスの長方形形状を少なくとも部分的に囲み得る楕円、長方形又は別の多角形であると決定されても良い。図９では、丸い角を有する長方形である増強オーバレイ９１０は、デジタルオンスクリーングラフィック９０５を囲んでも良い。
【００９３】
一実施形態では、増強オーバレイは、セグメントを有しても良い。一実施形態では、セグメントは、二次オブジェクト９３０をトリガしても良い。セグメントは、選択可能なメニューアイテム９２０に対応しても良い。一実施形態では、増強オーバレイは、メニューアイテム９２０を表す１又は複数のアイコンにより少なくとも部分的に囲まれても良い。図９では、メニューアイテム９２０は、正方形により囲まれたテキストとして提示されても良い。メニューアイテム９２０は、セグメントに対応しても良く、楕円形増強オーバレイ９１０から放射状に広がっても良い。一実施形態では、メニューアイテム９２０は、ｍｙＴＶ、ｓｈａｒｅ、ｓｈｏｐ、ｒｅｌａｔｅ、ｃｈａｔ及びｒｅｃｏｒｄのような娯楽カテゴリに対応しても良いが、これらに限定されない。
【００９４】
一実施形態では、図９に示したように、セグメントが選択されメニューアイテムが提示されても良い。例えば、ユーザは、メニューアイテム「ｓｈｏｐ」に対応するセグメントの上にカーソルを置き、メニューアイテム９２０が現れても良い。一実施形態では、メニューアイテム「ｓｈｏｐ」に対応するセグメントが選択されても良く、メニューアイテム「ｓｈｏｐ」がハイライトされても良い。一実施形態では、メニューアイテム「ｓｈｏｐ」に対応するセグメントが選択された場合、二次オブジェクト９３０がトリガされても良い。図９では、二次オブジェクト９３０はウェブサイトであっても良い。
【００９５】
例えば、図９では、マルチメディアストリームは、Martha  Stewart料理番組を提示しても良い。ユーザがセグメント及び対応するメニューアイテム「ｓｈｏｐ」９２０を選択するとMartha  Stewart料理番組が提示されるので、Martha  Stewartウェブサイト９３０が二次オブジェクト９３０としてトリガされても良い。現在の料理番組に対応するレシピを有するMartha  Stewartウェブサイト９３０が提示されても良い。
【００９６】
図１０は、ロジックフロー１０００の一実施形態を示す。ロジックフロー１０００は、本願明細書に記載した１又は複数の実施形態により実行される一部又は全部の動作を表し得る。留意すべき店は、本願明細書に記載した方法が、記載した順序で又は任意の特定の順序で実行される必要がないことである。さらに、本願明細書で特定した方法に関して記載した種々の動作は、直列又は並列的に実行することができる。
【００９７】
図１０に示した一実施形態では、ブロック１００２で、ロジックフロー１０００は、マルチメディアストリーム内のデジタルオンスクリーングラフィックを特定しても良い。一実施形態では、デジタルオンスクリーングラフィックは、マルチメディアストリームに統合されても良い。一実施形態では、デジタルオンスクリーングラフィックは、電子ディスプレイのために、マルチメディアストリームからの１又は複数のビデオフレームから決定されても良い。一実施形態では、マルチメディアストリームは、ライブ供給（live  feed）であっても良い。一実施形態では、マルチメディアストリームは、ブロードキャストチャネルで提示されるテレビ番組であっても良い。マルチメディアストリームは、デジタルオンスクリーングラフィックを決定するために分析されても良い。デジタルオンスクリーングラフィックは静止画像であっても良い。一実施形態では、デジタルオンスクリーングラフィックを決定するために、パターン認識が用いられても良い。一実施形態では、デジタルオンスクリーングラフィックを決定するために、算術演算が用いられても良い。
【００９８】
ブロック１００４で、ロジックフロー１０００は、デジタルオンスクリーングラフィックに基づき増強オーバレイを選択しても良い。一実施形態では、デジタルオンスクリーングラフィックの形状、色、サイズ及び／又は次元が決定されても良い。一実施形態では、デジタルオンスクリーングラフィックの形状、色、サイズ及び／又は次元に基づき、増強オーバレイが選択されても良い。一実施形態では、増強オーバレイは、増強オーバレイのライブラリから選択されても良い。デジタルオンスクリーングラフィックに基づき、増強オーバレイがデジタルオンスクリーングラフィックと調和するように、増強オーバレイが選択されても良い。一実施形態では、増強オーバレイは、視覚的に有益でなくても良い。
【００９９】
ブロック１００６で、ロジックフロー１０００は、増強オーバレイの１又は複数のセグメントを決定しても良い。増強オーバレイは、半透明であっても良い。増強オーバレイは、形状の輪郭として示されても良い。例えば、増強オーバレイは、三角形の輪郭又は辺であっても良い。三角形の辺は、セグメント化されてもよい。セグメントは、ユーザの好み、現在のコンテンツ及び入力に基づき決定されても良い。セグメントは、娯楽カテゴリに対応しても良い。一実施形態では、各セグメントは、娯楽に関するメニューアイテムに対応しても良い。一実施形態では、セグメントは、二次オブジェクトをトリガしても良い。二次オブジェクトは、他の例の中でも特に、電子メールインボックス、受信した電子メール、ソーシャルネットワーキングウェブサイト、ショッピングウェブサイト、ビデオゲーム及び／又は録画を提案する番組のリスト若しくはセットを有しても良い。
【０１００】
ブロック１００８で、ロジックフロー１０００は、デジタルオンスクリーングラフィックを少なくとも部分的に強化するために、セグメント化増強オーバレイを電子ディスプレイに提示しても良い。一実施形態では、ユーザは、セグメント化増強オーバレイに基づき、娯楽関連イベントを警告されても良い。一実施形態では、警告は、入来メッセージ、録画されるべき番組、関連するコンテンツ、ショッピング機会、及び／又は強化されたコンテンツに基づき生成されても良い。一実施形態では、娯楽関連イベントに基づき、セグメントの色が変えられても良く、セグメントが閃光しても良く、及び／又はセグメントがハイライトされても良い。
【０１０１】
警告は、他の例の中でも特に、セグメント化増強オーバレイに基づく入来電子メールメッセージ、録画されるべき番組、関連するウェブショッピングの機会、及び／又は強化されたコンテンツのような娯楽関連イベントのためであっても良いが、これらに限定されない。一実施形態では、ユーザは、他の例の中でも特に、１又は複数のセグメントの色を変えることにより、少なくとも１又は複数のセグメントにおいて閃光を発することにより、及び／又は１又は複数のセグメントを明るくすることにより、警告されても良い。
【０１０２】
図１１は、上述の種々の実施形態を実施するために適した例示的なコンピュータアーキテクチャ１１００の一実施形態を示す。本願で用いられるように、用語「システム」及び「装置」及び「コンポーネント」は、ハードウェア、ハードウェアとソフトウェアの組合せ、ソフトウェア、又は実行中のソフトウェア等のコンピュータに関連するエンティティを表すことを意図する。これらの例は、例示的なコンピュータアーキテクチャ１１００により提供される。例えば、コンポーネントは、プロセッサで実行されるプロセス、プロセッサ、ハードディスクドライブ、（光及び／又は磁気記憶媒体の）複数の記憶装置、オブジェクト、実行ファイル、実行スレッド、プログラム、及び／又はコンピュータであり得るが、これらに限定されない。説明のため、サーバで動作するアプリケーションとサーバの両方が、コンポーネントであり得る。１又は複数のコンポーネントは、プロセス及び／又は実行スレッド内に存在でき、コンポーネントは１つのコンピュータに及び／又は２以上のコンピュータに分散されてローカライズされ得る。さらに、コンポーネントは、協調して動作するために、種々の通信媒体により互いに通信可能に結合されても良い。協調は、情報の片方向又は双方向の交換を含んでも良い。例えば、コンポーネントは、通信媒体を介して伝達される信号の形式の情報を伝達しても良い。情報は、種々の信号線に割り当てられた信号として実施できる。このような割り当てでは、各メッセージは信号である。しかしながら、更なる実施形態は、代替的にデータメッセージを用いても良い。このようなデータメッセージは、種々のコネクションを介して送信されても良い。例示的なコネクションは、パラレルインタフェース、シリアルインタフェース及びバスインタフェースを含む。
【０１０３】
一実施形態では、コンピュータアーキテクチャ１１００は、電子装置を有するか又はその一部として実施されても良い。電子装置の例は、モバイル装置、パーソナルデジタルアシスタント、モバイルコンピュータ装置、スマートフォン、セルラフォン、ハンドセット、一方向ページャ、双方向ページャ、メッセージ装置、コンピュータ、パ―ソナルコンピュータ（ＰＣ）、デスクトップコンピュータ、ラップトップコンピュータ、ノ―トブックコンピュータ、ハンドヘルドコンピュータ、タブレットコンピュータ、サーバ、サーバアレイ若しくはサーバファーム、ウェブサーバ、ネットワークサーバ、インターネットサーバ、ワークステーション、ミニコンピュータ、メインフレームコンピュータ、ス―パーコンピュータ、ネットワーク機器、ウェブ機器、分散型コンピュータシステム、マルチプロセッサシステム、プロセッサベースシステム、消費者電子機器、プログラマブル消費者電子機器、テレビジョン、デジタルテレビジョン、セットトップボックス、無線アクセスポイント、基地局、加入者局、移動加入者センタ、無線ネットワーク制御部、ルータ、ハブ、ゲートウェイ、ブリッジ、スイッチ、マシン、又はこれらの組合せを含み得るが、これらに限定されない。実施形態は、この文脈に限定されない。
【０１０４】
コンピュータアーキテクチャ１１００は、１又は複数のプロセッサ、コプロセッサ、メモリユニット、チップセット、制御部、周辺機器、インタフェース、発振器、タイミング装置、ビデオカード、オーディオカード、マルチメディア入力／出力（Ｉ／Ｏ）コンポーネント等のような種々の共通のコンピュータ要素を有する。しかしながら、実施形態は、コンピュータアーキテクチャ１１００による実施に限定されない。
【０１０５】
図１１に示したように、コンピュータアーキテクチャ１１００は、処理ユニット１１０４、システムメモリ１１０６及びシステムハブ１１０８を有する。処理ユニット１１０４は、種々の市販プロセッサのうちの任意のものであり得る。デュアルマイクロプロセッサ及び他のマルチプロセッサアーキテクチャは、処理ユニット１１０４として具現化されても良い。システムバス１１０８は、システムメモリ１１０６を含むがこれに限定されないシステムコンポーネントのためのインタフェースを処理ユニット１１０４に提供する。システムバス１１０８は、更に（メモリ制御部を有する又は有しない）メモリバス、周辺バス、及びローカルバス、及び種々の市販バスアーキテクチャのうちの任意のものを用いるローカルバスに相互接続し得る幾つかのバス構造のうちの任意のものであり得る。
【０１０６】
コンピュータアーキテクチャ１１００は、種々の製品を有し又は実装しても良い。製品は、種々の形式のプログラミングロジックを格納するためにコンピュータ可読記憶媒体を有しても良い。コンピュータ可読記憶媒体の例は、揮発性メモリ若しくは不揮発性メモリ、取り外し可能若しくは取り外し不可能なメモリ、消去可能若しくは消去不可能なメモリ、書き換え可能若しくは書き換え不可能なメモリ等を含む、電子データを格納可能な任意の有形媒体を含み得る。プログラミングロジックの例は、セキュアコード、コンパイルドコード、インタープリテッドコード、実行コード、スタティックコード、ダイナミックコード、オブジェクト指向コード、ビジュアルコード等のような任意の適切な種類のコードを用いて実装された実行可能コンピュータプログラム命令を含み得る。
【０１０７】
システムメモリ１１０６は、ＲＯＭ（read-only  memory）、ＲＡＭ（random-access  memory）、ＤＲＡＭ（dynamic  RAM）、ＤＤＲＡＭ（Double-Data-Rate  DRAM）、ＳＤＲＡＭ（synchronous  DRAM）、ＳＲＡＭ（static  RAM）、ＰＲＯＭ（programmable  ROM）、ＥＰＲＯＭ（erasable  programmable  ROM）、ＥＥＰＲＯＭ（electrically  erasable  programmable  ROM）、フラッシュメモリ、強誘電体ポリマーメモリのようなポリマーメモリ、オボニックメモリ、位相変化若しくは強誘電体メモリ、ＳＯＮＯＳ（silicon-oxide-nitride-oxide-silicon）メモリ、磁気若しくは光カード、又は情報を格納するのに適した任意の他の種類の媒体のような１又は複数の高速メモリユニットの形式の種々のコンピュータ可読記憶媒体を含み得る。図１１に示した実施形態では、システムメモリ１１０６は、不揮発性メモリ１１１０及び／又は揮発性メモリ１１１２を有し得る。ＢＩＯＳ（basic  input/output  system）は、不揮発性メモリ１１１０に格納できる。
【０１０８】
コンピュータ１１０２は、内部ＨＤＤ（hard  disk  drive）１１１４、取り外し可能磁気ディスク１１１８から読み出す又はそれへの書き込む磁気ＦＤＤ（floppy  disk  drive）１１１６、取り外し可能光ディスク１１２２（例えば、ＣＤ−ＲＯＭ又はＤＶＤ）から読み出し又はそれへ書き込む光ディスクドライブ１１２０を含む１又は複数の低速メモリユニットの形式の種々のコンピュータ可読記憶媒体を有しても良い。ＨＤＤ１１１４、ＦＤＤ１１１６及び光ディスクドライブ１１２０は、それぞれＨＤＤインタフェース１１２４、ＦＤＤインタフェース１１２６及び光ドライブインタフェース１１２８によりシステムバス１１０８に接続できる。外部ドライブ実装のためのＨＤＤインタフェース１１２４は、ＵＳＢ（Universal  Serial  Bus）及びＩＥＥＥ１３９４インタフェース技術のうちの少なくとも一方又は両方を有し得る。
【０１０９】
ドライブ及び関連するコンピュータ可読媒体は、揮発性及び／又は不揮発性データ記憶、データ構造、コンピュータ実行可能命令等を供給する。例えば、オペレーティングシステム１１３０、１又は複数のアプリケーションプログラム１１３２、他のプログラムモジュール１１３４及びプログラムデータ１１３６を含む多数のプログラムモジュールを、ドライブ及びメモリユニット１１１０、１１１２に格納できる。
【０１１０】
１又は複数のアプリケーションプログラム１１３２、他のプログラムモジュール１１３４及びプログラムデータ１１３６は、例えば、視覚的に増強されたデジタルオンスクリーングラフィックコンポーネント３００、デジタルオンスクリーングラフィックコンポーネント４００、増強オーバレイ決定コンポーネント５００、メニューセグメント化コンポーネント６００、及び視覚的に増強されたデジタルオンスクリーングラフィック実装コンポーネント７００を含み得る。
【０１１１】
ユーザは、１又は複数の有線／無線入力装置、例えばキーボード１１３８及びマウス１１４０のようなポインティング装置を通じて、コマンド及び情報をコンピュータ１１０２に入力できる。他の入力装置は、マイクロフォン、赤外線（ＩＲ）リモコン、ジョイスティック、ゲームパッド、スタイラスペン、タッチスクリーン等を有しても良い。上述の及び他の入力装置は、システムバス１１０８に結合される入力装置インタフェース１１４２を通じて、処理ユニット１１０４に接続される場合が多いが、パラレルポート、ＩＥＥＥ１３９４シリアルポート、ゲームポート、ＵＳＢポート、ＩＲインタフェース等のような他のインタフェースにより接続することもできる。
【０１１２】
モニタ１１４４又は他の種類のディスプレイ装置は、ビデオアダプタ１１４６のようなインタフェースを介してシステムバス１１０８にも接続される。モニタ１１４４に加え、コンピュータは、通常、スピーカ、プリンタ等のような他の周辺出力装置を有する。
【０１１３】
コンピュータ１１０２は、遠隔コンピュータ１１４８のような１又は複数の遠隔コンピュータへの有線及び／又は無線通信を介した論理コネクションを用いてネットワーク接続された環境で動作しても良い。遠隔コンピュータ１１４８は、ワークステーション、サーバコンピュータ、ルータ、パーソナルコンピュータ、ポータブルコンピュータ、マイクロプロセッサに基づく娯楽機器、ピア装置又は他の一般的なネットワークノードであって良く、通常、コンピュータ１１０２に関して記載された要素の多く又は全てを有する。しかしながら、間欠にするため、メモリ／記憶装置１１５０のみを図示する。示した論理コネクションは、ＬＡＮ（local  area  network）１１５２及び／又はより大規模なネットワーク、例えばＷＡＮ（wide  area  network）１１５４への有線／無線接続性を有する。このようなＬＡＮ及びＷＡＮのネットワーク環境は、職場及び会社内で一般的であり、イントラネットの全てがグローバル通信ネットワーク、例えばインターネットに接続され得る該イントラネットのような企業規模のコンピュータネットワークを実現する。
【０１１４】
ＬＡＮネットワーク環境で用いられるとき、コンピュータ１１０２は、有線及び／又は無線通信ネットワークインタフェース又はアダプタ１１５６を通じて、ＬＡＮ１１５２に接続される。アダプタ１１５６は、有線及び／又は無線通信ネットワークがＬＡＮ１１５２と通信するのを実現する。ＬＡＮ１１５２は、アダプタ１１５６の無線機能と通信するために配置された無線アクセスポイントを有しても良い。
【０１１５】
ＷＡＮネットワーク環境で用いられるとき、コンピュータ１１０２は、モデム１１５８を有し、ＷＡＮ１１５４にある通信サーバに接続され、又はインターネットを用いるようなＷＡＮ１１５４を介して通信を確立する他の手段を有する。内部若しくは外部装置及び有線及び／又は無線装置であり得るモデム１１５８は、入力装置インタフェース１１４２を介してシステムバス１１０８に接続する。ネットワーク環境では、コンピュータ１１０２に関連して示されたプログラムモジュール又はその部分は、遠隔メモリ／記憶装置１１５０に格納され得る。理解されるべき点は、図示のネットワーク接続は例であり、コンピュータ間の通信リンクを確立する他の手段を用いることが出来ることである。
【０１１６】
コンピュータ１１０２は、ＩＥＥＥ８０２標準ファミリを用いて、例えばプリンタ、スキャナ、デスクトップ及び／又はポータブルコンピュータ、パーソナルデジタルアシスタント（ＰＤＡ）、通信衛星、任意の機器若しくは無線検出可能なタグと関連付けられた場所（例えば、キオスク、ニューススタンド、休憩室）との無線通信（例えば、ＩＥＥＥ８０２．１１無線変調技術）に動作可能に配置された無線装置のような有線及び無線装置又はエンティティと通信するよう動作し、これは、少なくともＷｉ−Ｆｉ（WirelessFidelity）、ＷｉＭａｘ、Ｂｌｕｅｔｏｏｔｈ（登録商標）無線技術を含む。したがって、通信は、従来のネットワーク又は少なくとも２つの装置間の単なるアドホック通信に所定の構造を関連付けることができる。Ｗｉ−Ｆｉネットワークは、ＩＥＥＥ８０２．１ｘ（ａ，ｂ，ｇ，ｎ等）と呼ばれる無線技術を用いて、セキュア、高信頼、高速無線接続性を提供する。ＷｉＦｉネットワークは、コンピュータを互いに、インターネット及び（例えば、ＩＥＥＥ８０２．３関連媒体及び機能を用いる）有線ネットワークに接続するために用いることができる。
【０１１７】
図１２は、上述の種々の実施形態を実施するために適した例示的な通信アーキテクチャ１２００のブロック図を示す。通信アーキテクチャ１２００は、送信機、受信機、通信機、無線機、ネットワークインタフェース、ベースバンドプロセッサ、アンテナ、増幅器、フィルタ等のような種々の一般的な通信要素を有する。しかしながら、実施形態は、通信アーキテクチャ１２００による実施に限定されない。
【０１１８】
図１２に示したように、通信アーキテクチャ１２００は、１又は複数のクライアント１２０２及びサーバ１２０４を有する。クライアント１２０２及びサーバ１２０４は、クッキー及び／又は関連するコンテキスト情報のような個々のクライアント１２０２及びサーバ１２０４にローカルな情報を格納するために、１又は複数の個々のクライアントデータ記憶１２０８及びサーバデータ記憶１２１０と動作可能に接続される。
【０１１９】
クライアント１２０２及びサーバ１２０４は、通信フレームワーク１２０６を用いて、それぞれ他者との間で情報を伝達しても良い。通信フレームワーク１２０６は、システム３００、４００、５００、６００、７００及び１０００を参照して記載したような良く知られた通信技術及びプロトコルを実装しても良い。通信フレームワーク８０６は、パケット交換ネットワーク（例えば、インターネットのような公衆ネットワーク、企業イントラネットのような私設ネットワーク等）、回線交換ネットワーク（例えば、公衆交換電話網）、又は（適切なゲートウェイ及びトランスレータを備えた）パケット交換ネットワークと回線交換ネットワークの組合せとして実装されても良い。
【０１２０】
幾つかの実施形態は、「一実施形態」又は「ある実施形態」という表現に加えてそれらの派生語を用いて記載された。これらの語は、実施形態と関連する特定の機能、構造又は特徴が少なくとも１つの実施形態に含まれることを意味する。明細所内の種々の文の中の「一実施形態では」という表現の出現は、必ずしも全て同じ実施形態を参照していない。さらに、幾つかの実施形態は、「結合される」又は「接続される」という表現に加えてそれらの派生語を用いて記載された。これらの語は、必ずしも互いに同義語であることを意図していない。例えば、幾つかの実施形態は、２以上の要素が物理的に又は電気的に互いに直接接触していることを示すために「接続される」及び／又は「結合される」という語を用いて記載された。しかしながら、「結合される」という語は、２以上の要素が互いに直接的に接触していないが、依然として互いに協調して又は相互作用していることも意味しうる。
【０１２１】
理解されるべき点は、本開示の要約が、読者に技術的開示の特性を素早く確かめさせるために提供されていることである。要旨は請求項の範囲又は意味を解釈又は限定するために用いられるべきでないことが理解される。また、上述の詳細な説明では、本開示の合理化のために、種々の特徴が単一の実施形態に一緒にグループ化されることが分かる。この開示の方法は、請求される実施形態が各請求項に明示的に記載されたよりも多くの特徴を必要とするという意図を反映していると解釈するべきではない。むしろ、添付の請求項が反映しているように、本発明の主題は、単一の開示された実施形態の全ての特徴よりも少ない。したがって、ここで、添付の請求項は、各請求項が別個の実施形態として存在するとして、詳細な説明に組み込まれる。添付の請求項では、用語「含む（including）」及び「（inwhich）」は、それぞれ用語「comprising」及び「wherein」の英語の明白な等化語として用いられる。さらに、用語「第１の」、「第２の」、「第３の」等は、単にラベルとして用いられ、それらの目的語に数値的要件を課すことを意図しない。
【０１２２】
上述の事項は、開示のアーキテクチャの例を含む。もちろん、コンポーネント及び／又は方法の全ての考えられる組合せを記載することは不可能である。しかし、当業者は、多くの更なる組合せ及び置換が可能であることを理解するだろう。したがって、新規なアーキテクチャは、添付の請求項の精神及び範囲内に含まれる全てのこのような代替、変更、変形を包含することを意図する。
【０１２３】
［関連出願］
本願は、米国仮特許出願番号６１／３７７,５８８、出願日２０１０年８月２７日の優先権を主張する。該米国仮特許出願は参照されることにより本願明細書に組み込まれる。
【図１】
0005559433.tif 000002
【図２】
0005559433.tif 000003
【図３】
0005559433.tif 000004
【図４】
0005559433.tif 000005
【図５】
0005559433.tif 000006
【図６】
0005559433.tif 000007
【図７】
0005559433.tif 000008
【図８Ａ】
0005559433.tif 000009
【図８Ｂ】
0005559433.tif 000010
【図８Ｃ】
0005559433.tif 000011
【図８Ｄ】
0005559433.tif 000012
【図９】
0005559433.tif 000013
【図１０】
0005559433.tif 000014
【図１１】
0005559433.tif 000015
【図１２】
0005559433.tif 000016